(57)【特許請求の範囲】
【請求項１】
複数のサブキャリアの各々の中に既知シンボルを挿入してデータが送信され、受信側では、前記既知シンボルの歪み検出量に基づいて情報シンボルの歪み量を推定し、推定した歪み量を用いて受信データのフェージング歪みを補償するマルチキャリア伝送方式のフェージング歪み補償方法において、
既知シンボルが他の既知シンボルと比較して著しく歪んでいるとき、各サブキャリアに含まれる既知シンボルの歪み検出量の平均値をサブキャリア毎に求め、前記平均値のサブキャリア間での傾きと、前記著しく歪んでいる既知シンボルと同一時刻に受信された他のサブキャリアに含まれる既知シンボルの歪み検出量とを用いて、前記著しく歪んでいる既知シンボルの歪み検出量を補正することを特徴とするフェージング歪み補償方法。
【請求項２】
前記他のサブキャリアに含まれる同一時刻に受信された既知シンボルの歪み検出量が、他の既知シンボルと比較して著しく歪んでいるときには、前記著しく歪んでいる既知シンボルの歪み検出量を、該既知シンボルが含まれるサブキャリアの前記平均値に補正することを特徴とする請求項１に記載のフェージング歪み補償方法。
【請求項３】
前記各サブキャリアに含まれる既知シンボルを、受信時刻を基準にして複数のグループに分割し、既知シンボルの歪み検出量の平均値を、各サブキャリアの前記グループ毎に求め、前記著しく歪んでいる既知シンボルの歪み検出量を補正するに際して、サブキャリアの前記グループの平均値を用いることを特徴とする請求項１または２に記載のフェージング歪み補償方法。
【請求項４】
前記既知シンボルの歪み検出量の絶対値が、全てのサブキャリアに含まれる既知シンボルの歪み検出量の分散値に所定の重み付けを施した値より大きいとき、該既知シンボルの歪み検出量を、他の既知シンボルと比較して著しく歪んでいると見做すことを特徴とする請求項１乃至３に記載のフェージング歪み補償方法。
【請求項５】
フェージング歪みを補償した受信データ列の歪み補償状態を検出し、この検出結果に基づいて、前記分散値に施す重み付けを調整することを特徴とする請求項４に記載のフェージング歪み補償方法。
【請求項６】
複数のサブキャリアの各々の中に既知シンボルを挿入してデータが送信され、受信側では、前記既知シンボルの歪み検出量に基づいて情報シンボルの歪み量を推定し、推定した歪み量を用いて受信データのフェージング歪みを補償するマルチキャリア伝送方式の復調器のフェージング歪み補償装置において、
既知シンボルの歪み量を検出する歪み検出手段と、
他の既知シンボルと比較して著しく歪んでいる既知シンボルの歪み検出量を補正する歪み補正手段と、
必要な補正が行なわれた既知シンボルの歪み検出量に基づいて既知シンボル以外の情報シンボルの歪み量を推定する歪み推定手段と、
前記歪み推定手段によって推定された歪み量を用いて受信データのフェージング歪みを補償する歪み補償手段と
を備えることを特徴とするフェージング歪み補償装置。
【請求項７】
前記歪み補償手段により歪み補償が行なわれた受信シンボル列の歪み補償状態を検出する歪み補償状態検出手段を具備することを特徴とする請求項６に記載のフェージング歪み補償装置。
【請求項８】
前記歪み補正手段または歪み推定手段が、前記歪み補償状態検出手段の検出結果を利用して、既知シンボルの歪み検出量の補正または情報シンボルの歪み量の推定を調整することを特徴とする請求項７に記載のフェージング歪み補償装置。
【発明の詳細な説明】
【０００１】
【発明の属する技術分野】
本発明は、マルチキャリア伝送方式の移動通信等で用いられる、既知シンボルの伝送を通じてフェージング歪みを補償するフェージング歪み補償方法と、復調器において、その方法を実施するフェージング歪み補償装置とに関し、特に、既知シンボルが異常に歪んでいた場合でも、適正にフェージング歪みを補償できるようにしたものである。
【０００２】
【従来の技術】
フェージング歪補償回路を持つ復調装置では、ベースバンド信号を復元する際に、予め挿入されている既知のシンボルの歪値を検出し、この歪検出値を用いて時刻の異なる情報シンボルの歪を推定し受信データを補正している。
【０００３】
フェージング歪補償回路を有する従来のＭ１６ＱＡＭの復調装置は、図７に示すように、受信信号をベースバンド信号の同相成分信号と直交成分信号とに変換する同期検波回路１と、マルチキャリアを各サブキャリアに分解するサブキャリア分離回路２と、分離されたサブキャリアから符号間干渉の無いパルス列を取出す受信マッチトフィルタ３と、フェージング歪を補償するフェージング歪補償回路４とを備えている。
【０００４】
図８には、Ｍ１６ＱＡＭのスロット・フォーマットを例示している。各サブキャリアには、既知シンボルとして、スロット同期シンボル５と、フェージング歪を補償するためのパイロット・シンボル６とが挿入され、残りが情報シンボル７となる。サブキャリアの１と４、また２と３には、それぞれ同じ時刻にパイロット・シンボルが挿入される。
【０００５】
従来のフェージング歪補償装置は、図９に示すように、各サブキャリア毎に、パイロット・シンボルの歪を検出する歪み検出部21と、パイロット・シンボルの歪を基に情報シンボルの歪みを推定する歪み推定部22と、入力信号から推定した歪を除去するための歪み補償部23とを備えている。
【０００６】
復調装置では、まず同期検波回路１が、受信信号を同相成分と直交成分とに変換し、サブキャリア分離回路２が４つのサブキャリアに分離し、マッチトフィルタ３がそれをナイキストパルス列に変える。フェージング歪補償装置４は、この信号を受けて、次の要領でフェージングによる歪を除去する。
【０００７】
まず、各サブキャリアの歪み検出部21が、それぞれのサブキャリアに挿入されたパイロット・シンボルの歪を検出する。例えばサブキャリア１の場合、歪み検出部21は、入力シンボルＩ1(ｎ）＋ｊ・Ｑ1(ｎ）のパイロット・シンボルが挿入された時刻（ｎ＝６，‥）における値（Ｉ1(６）＋ｊ・Ｑ1(６））と既知の値とを比べることによって、入力シンボルＩ1(６）＋ｊ・Ｑ1(６）に対応する歪値Ｃｉ1(６）＋ｊ・Ｃｑ1(６）を検出する。
【０００８】
この歪が検出できるのは、時刻ｎがパイロット・シンボルの挿入された時刻に一致する場合だけである。
【０００９】
歪み推定部22は、この歪値を基に、その他の情報シンボルの歪を推定する。その後、歪み補償部23は、入力シンボルから、推定した歪値を減算して情報シンボルにおける歪を除去する。
【００１０】
【発明が解決しようとする課題】
しかしながら、この従来のフェージング歪み補償装置で行なわれる歪み補償方法では、情報シンボルの歪み補償に用いる歪み推定量は、既知シンボルから検出した歪み量を基に算出している。
【００１１】
つまり、既知シンボルより検出した歪み量は絶対であるものとして扱うことになる。
【００１２】
そのため、ある一部の既知シンボルがフェージング以外の影響で著しく歪んでいた場合でも、その検出した歪み量をフェージングによる歪み量であると見做して後の全ての情報シンボルの歪み推定量が算出されるので、歪み推定量に誤りが生じ、受信データを適正に復調することができなくなるという問題点を有していた。
【００１３】
本発明は、こうした従来の問題点を解決するものであり、ある一部の既知シンボルがフェージング変動以外の要因により、他の既知シンボルと比較して著しく歪んでいた場合であっても、その影響を受けずに周囲の情報シンボルの歪み量を適正に推定することができるフェージング歪み補償方法を提供し、また、その方法を実施するフェージング歪み補償装置を提供することを目的としている。
【００１４】
【課題を解決するための手段】
そこで、本発明のフェージング歪み補償方法では、既知シンボルが他の既知シンボルと比較して著しく歪んでいるとき、各サブキャリアに含まれる既知シンボルの歪み検出量の平均値をサブキャリア毎に求め、この平均値のサブキャリア間での傾きと、著しく歪んでいる既知シンボルと同一時刻に受信された他のサブキャリアに含まれる既知シンボルの歪み検出量とを用いて、著しく歪んでいる既知シンボルの歪み検出量を補正するようにしている。
【００１５】
また、本発明のフェージング歪み補償装置では、既知シンボルの歪み量を検出する歪み検出手段と、他の既知シンボルと比較して著しく歪んでいる既知シンボルの歪み検出量を補正する歪み補正手段と、必要な補正が行なわれた既知シンボルの歪み検出量に基づいて既知シンボル以外の情報シンボルの歪み量を推定する歪み推定手段と、歪み推定手段によって推定された歪み量を用いて受信データのフェージング歪みを補償する歪み補償手段とを設けている。
【００１６】
そのため、このフェージング歪み補償方法では、一部の既知シンボルがフェージング変動以外の要因で、他の既知シンボルと比較して著しく歪んでいた場合でも、その影響を受けずにフェージング歪みを適切に補償することができる。
【００１７】
また、本発明のフェージング歪み補償装置では、このフェージング歪み補償方法を実行し、フェージング歪みを除いた受信データを出力することができる。
【００１８】
【発明の実施の形態】
本発明の請求項１に記載の発明は、複数のサブキャリアの各々の中に既知シンボルを挿入してデータが送信され、受信側では、既知シンボルの歪み検出量に基づいて情報シンボルの歪み量を推定し、推定した歪み量を用いて受信データのフェージング歪みを補償するマルチキャリア伝送方式のフェージング歪み補償方法において、既知シンボルが他の既知シンボルと比較して著しく歪んでいるとき、各サブキャリアに含まれる既知シンボルの歪み検出量の平均値をサブキャリア毎に求め、この平均値のサブキャリア間での傾きと、著しく歪んでいる既知シンボルと同一時刻に受信された他のサブキャリアに含まれる既知シンボルの歪み検出量とを用いて、著しく歪んでいる既知シンボルの歪み検出量を補正するようにしたものであり、ある一部の既知シンボルがフェージング変動以外の要因で、他の既知シンボルと比較して著しく歪んでいた場合でも、その影響を受けずにフェージング歪みを適切に補償することができる。
【００１９】
請求項２に記載の発明は、他のサブキャリアに含まれる同一時刻に受信された既知シンボルの歪み検出量が、他の既知シンボルと比較して著しく歪んでいるときには、その著しく歪んでいる既知シンボルの歪み検出量を、既知シンボルが含まれるサブキャリアの平均値に補正するようにしたものであり、著しく歪んでいる既知シンボルの歪み検出量を適切な値に補正することができる。
【００２０】
請求項３に記載の発明は、各サブキャリアに含まれる既知シンボルを、受信時刻を基準にして複数のグループに分割し、既知シンボルの歪み検出量の平均値を、各サブキャリアのグループ毎に求め、著しく歪んでいる既知シンボルの歪み検出量を補正するに際して、サブキャリアのグループの平均値を用いるようにしたものであり、歪み量が時間的に変化する場合でも、その変化に追随して、著しく歪んでいる既知シンボルの歪み検出量を適切に補正することができる。
【００２１】
請求項４に記載の発明は、既知シンボルの歪み検出量の絶対値が、全てのサブキャリアに含まれる既知シンボルの歪み検出量の分散値に所定の重み付けを施した値より大きいとき、この既知シンボルの歪み検出量を、他の既知シンボルと比較して著しく歪んでいると見做すようにしたものであり、補正すべき既知シンボルの歪み検出量の範囲を、重み付けした分散値との比較により決定する。
【００２２】
請求項５に記載の発明は、フェージング歪みを補償した受信データ列の歪み補償状態を検出し、この検出結果に基づいて、分散値に施す重み付けを調整するようにしたものであり、この調整により、次スロット以降の既知シンボルの歪み検出量の補正をより適切に行なうことができる。
【００２３】
請求項６に記載の発明は、複数のサブキャリアの各々の中に既知シンボルを挿入してデータが送信され、受信側では、既知シンボルの歪み検出量に基づいて情報シンボルの歪み量を推定し、推定した歪み量を用いて受信データのフェージング歪みを補償するマルチキャリア伝送方式の復調器のフェージング歪み補償装置において、既知シンボルの歪み量を検出する歪み検出手段と、他の既知シンボルと比較して著しく歪んでいる既知シンボルの歪み検出量を補正する歪み補正手段と、必要な補正が行なわれた既知シンボルの歪み検出量に基づいて既知シンボル以外の情報シンボルの歪み量を推定する歪み推定手段と、歪み推定手段によって推定された歪み量を用いて受信データのフェージング歪みを補償する歪み補償手段とを設けたものであり、請求項１乃至４のフェージング歪み補償方法を実施して、受信データに含まれるフェージング歪みを適切に除くことができる。
【００２４】
請求項７に記載の発明は、歪み補償手段により歪み補償が行なわれた受信シンボル列の歪み補償状態を検出する歪み補償状態検出手段を設けたものであり、歪み補償を行なった受信データ列の歪み状態を把握することができ、歪み補償方法の妥当性を知ることができる。
【００２５】
請求項８に記載の発明は、歪み補正手段または歪み推定手段が、歪み補償状態検出手段の検出結果を利用して、既知シンボルの歪み検出量の補正または情報シンボルの歪み量の推定を調整するようにしたものであり、歪み補償状態を示す情報をフィードバックすることによって、次スロット以降のデータを処理する歪み補正手段または歪み推定手段の動作を適正化することができる。
【００２６】
以下、本発明の実施の形態について、図面を用いて説明する。
【００２７】
（第１の実施の形態）
第１の実施形態のフェージング歪み補償装置は、図１に示すように、入力信号31から既知シンボルの歪み量を検出する歪み検出部32と、既知シンボルの歪み量を補正する歪み補正部33と、歪み補正部33より出力された既知シンボルの歪み量を基に情報シンボルの歪み推定量を算出する歪み推定部34と、推定された歪み量を用いて入力信号31の歪み補償処理を行ない、フェージング歪み補償後のデータ36を出力する歪み補償部35とを備えている。
【００２８】
このフェージング歪み補償装置30では、まず、歪み検出部32が、入力信号31に挿入された既知シンボルの歪み量を検出する。
【００２９】
歪み補正部33は、検出された既知シンボルの歪み量が他の既知シンボルの歪み量から著しく掛け離れているかどうかを識別し、掛け離れていなければ、検出された歪み量をその既知シンボルの歪み量として出力し、また、掛け離れていれば、検出された歪み量を補正して出力する。
【００３０】
歪み推定部34は、歪み補正部33から入力する歪値を基に、既知シンボル以外の情報シンボルの歪み量を推定する。歪補償部35は、歪み推定部34が推定した歪み量を用いて入力信号31の歪み補償処理を行ない、フェージング歪みを補償したデータ36を出力する。
【００３１】
このフェージング歪み補償装置30の歪み補正部33で行なわれる既知シンボルの歪み検出量の補正方法について、図２及び図３を用いて説明する。
【００３２】
いま、歪み検出部32により各サブキャリアの既知シンボルの検出された歪み検出量が図２の様な状態であるとき、既知シンボルXa、Xbは他の既知シンボルと比較してその歪み検出量が著しく異なっているのが分かる。
【００３３】
例えば、このような場合、まず、全てのサブキャリアに含まれる全ての既知シンボルの歪み検出量の分散の値σaを算出する。そして、各既知シンボルから検出された歪み検出量の値A(n)が、先に計算したσaに重み付けを行なった値σa'と比較して次式（１）に示される関係であるならば、
μa-σa' ≦ A(n) ≦ μa+σa'                                （１）
検出した歪み検出量をそのまま用いる。
【００３４】
もし、次式（２）のような関係にあるときは、
A(n) ＜ μa-σa' または、 μa+σa' ＜ A(n)                  （２）
その位置の受信既知シンボルが異常であると見做し、以下のようにその既知シンボルの歪み検出量自体を補正する処理を行なう。
【００３５】
ここでは、図２に示すサブキャリア１の既知シンボルXaを補正する方法について説明する。
【００３６】
まず、各既知シンボルの歪み検出量を基に、各サブキャリア毎に既知シンボルの歪み検出量の平均値(μa、μb、μc、μd）を算出する。
【００３７】
そして、図３（ａ）に示すように、その平均値のサブキャリア間での傾きの値を計算し、次に、図３（ｂ）に示すように、その傾きの値と、既知シンボルXaと同一時間上に在る別のサブキャリアの既知シンボル（サブキャリア１の既知シンボルと同一時間上に在る既知シンボルは、サブキャリア４に在る）の歪み検出量とを用いて一次補間を行なうことにより、著しく異なった既知シンボルXaの歪み検出量を補正したXa'を得る。
【００３８】
また、同一時間上にある２つの既知シンボルが２つとも式（２）で示される関係であるならば、その時は、その既知シンボルXaがあるサブキャリア１の既知シンボルの歪み検出量の平均値（μa）を既知シンボルXaの歪み検出量として代用する。
【００３９】
（第２の実施の形態）
第２の実施形態では、検出された既知シンボルの歪み検出量が時間的に変化している場合の既知シンボルの歪み検出量の補正方法について説明する。この方法を実施するフェージング歪み補償装置の構成は、第１の実施形態（図１）と同じである。
【００４０】
この既知シンボルの歪み検出量の補正方法について、図４及び図５を用いて説明する。
【００４１】
いま、歪み検出部32により検出された各サブキャリアの既知シンボルの歪み検出量が図４の様な状態であるとき、既知シンボルXx、Xyは他の既知シンボルと比較してその歪み検出量が著しく異なっているのが分かる。
【００４２】
また、この例では、各サブキャリアの既知シンボルの歪み検出量が時間軸上で２段階に変化しているのが分かる。ここで、各サブキャリアの既知シンボルをそれぞれの段階ごとにブロックに別け、時間軸上の前半の段階の既知シンボルをブロック１の既知シンボル、時間軸上の後半の段階の既知シンボルをブロック２の既知シンボルとする。
【００４３】
この補正方法の基本的な手順は第１の実施形態と同じであり、まず、全てのサブキャリアに含まれる全ての既知シンボルの歪み検出量の分散の値σbを算出する。そして、各既知シンボルから検出された歪み検出量の値A(n)が、先に計算したσbに重み付けを行なった値σb'と比較して式（３）に示される関係であるならば、
μb1-σb' ≦ A(n) ≦ μb1+σb'                              （３）
検出した歪み検出量をそのまま用いる。
【００４４】
もし、次式（４）のような関係にあるときは、
A(n) ＜ μb1-σb' または、 μb1+σb' ＜ A(n)                （４）
その時の既知シンボルの歪み検出量は異常であると見做し、以下のように歪み検出量自体を補正する処理を行なう。
【００４５】
ここではサブキャリア２のブロック１に属する既知シンボルXxの歪み検出量を補正する方法について説明する。
【００４６】
各既知シンボルの歪み検出量を基に、各サブキャリア毎にブロック１に属する既知シンボルの歪み検出量の平均値(μa1、μb1、μc1、μd1)を算出する。
【００４７】
そして、図５（ａ）に示すように、その平均値を用いてサブキャリア間での傾きの値を計算する。次に、図５（ｂ）に示すように、この傾きの値と、別のサブキャリアの同一時間上に在る別の既知シンボル（サブキャリア２の既知シンボルと同一時間上に在る既知シンボルは、サブキャリア３に在る）の歪み検出量とを用いて、著しく異なった既知シンボルXxの歪み検出量を補正したXx'を得る。
【００４８】
また、同一時間上にある２つの既知シンボルが２つとも式（４）で示される関係にあるならば、その時は、その既知シンボルXxがあるサブキャリア２のブロック１に属する既知シンボルの歪み検出量の平均値（μb1）を既知シンボルXxの歪み検出量として代用する。
【００４９】
また、サブキャリア４のブロック２に属する既知シンボルXyの補正についても、図５（ｃ）及び（ｄ）に示すように、同様に行なうことができる。
【００５０】
（第３の実施の形態）
第３の実施形態では、歪み補償を施した受信データの歪み補償状態を検出し、検出結果に基づいて既知シンボルの歪み検出量の補正方法を変更するフェージング歪み補償方法について説明する。
【００５１】
この方法を実施する装置は、図６に示すように、歪み補償が行なわれた受信データから歪み補償状態を検出し、検出結果を歪み補正部83及び歪み推定部84にフィードバックする歪み補償状態検出部87を備えている。その他の構成は第１の実施形態（図１）と変わりがない。
【００５２】
このフェージング歪み補償装置80では、歪み検出部82が、入力信号81に挿入された既知シンボルの歪み量を検出し、歪み補正部83が、この既知シンボルの歪み検出量を補正し、歪み推定部84が、歪み補正部83から入力する歪値を基に、既知シンボル以外の情報シンボルの歪み量を推定する。歪み補償部85は、歪み推定部84が推定した歪み量を用いて入力信号81の歪み補償処理を行ない、フェージング歪みを補償したデータ86を出力する。
【００５３】
歪み補償状態検出部87は、歪み補償部85から出力される受信シンボル列を分析して、歪み補償の状態を検出する。
【００５４】
受信信号の振幅は、フェージングの影響で強められたり、弱められたりする。そのため、１６ＱＡＭのように復号データが振幅にも関係する場合には、フェージング歪みが存在すると、受信データの平均値に偏りが生じ、また、受信データの分散が大きくなる。
【００５５】
歪み補償状態検出部87は、例えば、全てのサブキャリアの受信データ列に対してサブキャリア毎に平均値及び分散値を算出する。
【００５６】
歪み補償部85の歪み補償処理により、理想的に全ての受信シンボルの歪み量が除去されているならば、歪み補償後の受信データ列のサブキャリア毎の分散の値は小さく、また、各サブキャリアの平均値に対する分散値も、ある範囲内に収まり、また、各サブキャリアの平均値から求められるサブキャリア間の傾きの値も、ある一定の閾値より小さい範囲に収まっている筈である。
【００５７】
歪み補償状態検出部87では、算出した平均値及び分散値を用いて、このような分析を加えることにより、歪み補償の状態を検出する。
【００５８】
歪み補償状態検出部87で検出された歪み補償の状態は、歪み補償状態検出信号88により歪み補正部83及び歪み推定部84に伝えられる。
【００５９】
歪み補正部83では、歪み補償が不十分である場合に、既知シンボルの歪み検出量の補正を行なう範囲が広がるように、式（１）、（２）のσa'を得るためのσaに対する重み付けを変更したり、あるいは、補正方法を、第１の実施形態の補正方法から、歪み量の時間的変化に対処できる第２の実施形態の補正方法に変更する。
【００６０】
また、歪み推定部84では、既知シンボル以外の情報シンボルの歪み量がより多くなるように、情報シンボルの歪み量を推定する。
【００６１】
また、歪み補正部83において、著しく歪んでいる既知シンボルの歪み検出量を補正する場合に、一次補間に用いる傾きの値として、各サブキャリア毎の既知シンボルの歪み検出量の平均値から求めたサブキャリア間の傾きの値と、歪み補償状態の検出に際して各サブキャリア毎の受信シンボル列の平均値から求めたサブキャリア間の傾きの値との平均値を用いることにより、第１または第２の実施形態の歪み補正方法では除去しきれなかったフェージング等の変動による歪みを、少なからず、除去することが可能となる。
【００６２】
このように、このフェージング歪み補償方法では、歪み補償を施した受信データの歪み補償状態を検出し、検出結果をフィードバックすることにより、より適切なフェージング歪み補償が可能となる。
【００６３】
【発明の効果】
以上の説明から明らかなように、本発明のフェージング歪み補償方法では、一部の既知シンボルがフェージング変動以外の要因により、他の既知シンボルと比較して著しく歪んでいた場合でも、その影響を受けること無く、フェージング歪みを適切に補償することができる。
【００６４】
また、この場合、周波数選択性フェージングの影響などによる、それぞれのサブキャリア上に見られる歪み量の時間的な状態変化にも追随することができる。また、歪み補償を行なった後の受信シンボル列の歪み補償状態を検出する補償方法では、歪み補償方法の妥当性を知ることができ、また、検出した補償状態をフィードバックすることによって、次からの受信スロットの歪み推定処理を的確に行なうことができる。
【００６５】
また、本発明のフェージング歪み補償装置は、こうしたフェージング歪み補償方法を実施して、フェージング歪みを除いたデータを出力することができる。
【図面の簡単な説明】
【図１】本発明の第１及び第２の実施形態のフェージング歪み補償装置の構成を示すブロック図、
【図２】第１の実施形態のフェージング歪み補償方法で対象とする既知シンボルの歪み状態を示す図、
【図３】第１の実施形態のフェージング歪み補償方法での歪み補正方法を示す図、
【図４】第２の実施形態のフェージング歪み補償方法で対象とする既知シンボルの歪み状態を示す図、
【図５】第２の実施形態のフェージング歪み補償方法での歪み補正方法を示す図、
【図６】本発明の第３の実施形態のフェージング歪み補償装置の構成を示すブロック図、
【図７】フェージング歪み補償装置を備える復調器の構成を示すブロック図、
【図８】Ｍ１６ＱＡＭのスロットフォーマット、
【図９】従来のフェージング歪み補償装置の構成を示すブロック図である。
【符号の説明】
１  同期検波回路
２  サブキャリア分解回路
３  マッチトフィルタ
４、30、80  フェージング歪み補償装置
５  スロット同期シンボル
６  パイロットシンボル
７  情報シンボル
21、32、82  歪み検出部
22、34、84  歪み推定部
23、35、85  歪み補償部
31、81  入力信号
33、83  歪み補正部
36、86  出力信号
87  歪み補償状態検出部
88  歪み補償状態検出信号
【図１】
0003698185.tif 000002
【図２】
0003698185.tif 000003
【図３】
0003698185.tif 000004
【図４】
0003698185.tif 000005
【図５】
0003698185.tif 000006
【図６】
0003698185.tif 000007
【図７】
0003698185.tif 000008
【図８】
0003698185.tif 000009
【図９】
0003698185.tif 000010